(57)【要約】【課題】対象物に発生した振動量に応じてバイブレータの振動量を自動的に適切な量に調整することができ、特に携帯端末において適切な着信通知制御用として用いるのに好適なバイブレータ振動制御装置を得ること。【解決手段】バイブレータ１０６を装備する携帯端末１００にバイブレータ１０６の振動により発生する振動量を検出する振動量検出部１０８と、振動量検出部１０８が検出した振動量に応じてバイブレータ１０６の振動量を調整する振動量調整部１０９とを備える。【選択図】      図１
2005006206.tif 000002
【特許請求の範囲】
【請求項１】
バイブレータを装備する装置に前記バイブレータの振動により発生する振動量を検出する振動量検出手段と、
前記振動量検出手段が検出した振動量に応じて前記バイブレータの振動量を調整する振動量調整手段と、
を具備することを特徴とするバイブレータ振動制御装置。
【請求項２】
前記振動量調整手段が調整を開始してからの経過時間を計測する計測手段と、
前記計測手段が計測を開始してから所定の時間を経過しても適切な振動量に至らない場合に、バイブレータ振動による通知を前記装置が装備する発音手段による音による通知に切り替える選択手段と、
を具備することを特徴とする請求項１記載のバイブレータ振動制御装置。
【請求項３】
前記振動量調整手段が調整できる限界のバイブレータ振動量に達した時点からの経過時間を計測する計測手段と、
前記計測手段が計測を開始してから所定の時間を経過してもバイブレータ振動量が限界に達したままである場合に、バイブレータ振動による通知を前記装置が装備する発音手段による音による通知に切り替える選択手段と、
を具備することを特徴とする請求項１記載のバイブレータ振動制御装置。
【発明の詳細な説明】
【０００１】
【発明の属する技術分野】
本発明は、携帯端末に装備するのに好適なバイブレータ振動制御装置に関する。
【０００２】
【従来の技術】
近年、携帯電話やＰＨＳ等の携帯端末には、着信通知方法として、音による通知方法だけではなく、騒音下でも気付くように、または静かな場所で周囲の迷惑にならないように、バイブレータ振動による通知方法が備わっている。しかしながら、利用者は、その時々の携行環境に応じて手動で音による通知からバイブレータ振動による通知に変更し、またバイブレータ振動による通知から音による通知に変更しなければならなかった。
【０００３】
そこで、例えば特許文献１では、煩わしい操作をすることなく携行環境に応じた着信形態に切り替える着信制御方法が開示されている。以下、図７を参照してその概要を説明する。図７は、従来の着信制御方法を説明するフロー図である。図７において、振動センサによって環境振動が検出されると（ステップＳＴ７０１）、その検出結果と予め登録されたパターンテーブルとを比較して周囲の環境を特定し（ステップＳＴ７０２）、それに応じて着信通知方法をバイブレータ振動による通知方法と音による通知方法とのいずれかに切り替える（ステップＳＴ７０３）。
【０００４】
【特許文献１】
特開２０００−２０９６４５号公報
【０００５】
【発明が解決しようとする課題】
しかしながら、従来の着信制御方法では、予め環境を特定して一意に通知方法を決定するので、例えば静止した状態は全て同じ環境であると検知し、着信をバイブレータの振動によって通知すると設定した場合、携帯端末がどのような物の上に置かれているかによって振動量を制御することができないという問題がある。
【０００６】
即ち、バイブレータを動作させた時に携帯端末に発生する振動量、つまり携行者に伝達する振動量は、携帯端末が置かれている場所や状況によって異なるので、携帯端末が例えばポケットの中や柔らかい物の上に置かれている場合には、携行者はバイブレータによる振動に気付き難い。また、携帯端末が机の上等の硬い物に接している場合には振動による音が騒音となり、周囲に迷惑となる。さらには振動によって携帯端末が移動してしまうことが起こる。したがって、着信をバイブレータの振動によって通知する場合には、振動量を制御するなど適切な措置が必要となる。
【０００７】
本発明は、かかる点に鑑みてなされたものであり、対象物に発生した振動量に応じてバイブレータの振動量を自動的に適切な量に調整することができ、特に携帯端末において適切な着信通知制御用として用いるのに好適なバイブレータ振動制御装置を提供することを目的とする。
【０００８】
【課題を解決するための手段】
本発明に係るバイブレータ振動制御装置は、バイブレータを装備する装置に前記バイブレータの振動により発生する振動量を検出する振動量検出手段と、前記振動量検出手段が検出した振動量に応じて前記バイブレータの振動量を調整する振動量調整手段と、を具備する構成を採る。
【０００９】
この構成によれば、バイブレータを装備する装置自体に前記バイブレータの振動により発生する振動量を自動的に適切な振動量に調整することができる。したがって、例えば、バイブレータ振動による通知を行う場合に、当該装置が置かれた場所や状況に応じた適切な振動量でもって通知することができる。また、バイブレータ振動量の調整具合から当該装置が置かれた場所や状況を判断することができる。
【００１０】
本発明に係るバイブレータ振動制御装置は、上記の発明において、前記振動量調整手段が調整を開始してからの経過時間を計測する計測手段と、前記計測手段が計測を開始してから所定の時間を経過しても適切な振動量に至らない場合に、バイブレータ振動による通知を前記装置が装備する発音手段による音による通知に切り替える選択手段と、を具備する構成を採る。
【００１１】
この構成によれば、バイブレータ振動量の調整を開始してからの所定の時間を経過しても適切な振動量に至らない場合には、バイブレータ振動による通知を音による通知に切り替えることができる。したがって、バイブレータ振動による通知を行う場合に、バイブレータ振動量の調整に手間取る場合には、音による通知によって短時間に気付かせることができる。
【００１２】
本発明に係るバイブレータ振動制御装置は、上記の発明において、前記振動量調整手段が調整できる限界のバイブレータ振動量に達した時点からの経過時間を計測する計測手段と、前記計測手段が計測を開始してから所定の時間を経過してもバイブレータ振動量が限界に達したままである場合に、バイブレータ振動による通知を前記装置が装備する発音手段による音による通知に切り替える選択手段と、を具備する構成を採る。
【００１３】
この構成によれば、バイブレータ振動量が調整できる限界の達した後もそのままである場合には、バイブレータ振動を音に切り替えることができる。したがって、どんなにバイブレータ振動量を大きくしても、もしくはどんなにバイブレータ振動量を小さくしても適切な振動量に至らない場合には、音による通知によって短時間に気付かせることができる。
【００１４】
【発明の実施の形態】
本発明の骨子は、バイブレータを動作させた時に携行者に伝達される振動量が携帯端末の置かれている場所や状況によって違いがあることに着目し、携帯端末に発生した振動量に応じてバイブレータ振動量を自動的に適切な量に調整することにより、携帯端末の置かれている場所や状況に応じた適切な振動量でもって携行者に着信が通知できるようにすることである。
【００１５】
以下、本発明の実施の形態について、添付図面を参照して詳細に説明する。
【００１６】
（実施の形態１）
図１は、本発明の実施の形態１に係るバイブレータ振動制御装置を装備した携帯端末の構成を示すブロック図である。図１において、携帯端末１００は、基本構成として、アンテナ１０１を備える無線部１０２と、無線部１０２から受け取った受信信号から受信データＲｘを生成する復調部１０３と、送信データＴｘを変調して無線部１０２に与える変調部１０４と、音響を発生するリンガ１０５と、携帯端末１００を振動させるバイブレータ１０６と、復調部１０３からの着信信号を受けて、着信を音で通知する設定の場合はリンガ１０５を選択し、着信を振動で通知する設定の場合はバイブレータ１０６を選択する選択回路１０７とを備えている。
【００１７】
このような携帯端末１００において、バイブレータ振動制御装置を構成する振動量検出部１０８と振動量調整部１０９とが設けられている。
【００１８】
バイブレータ１０６は、選択回路１０７によって選択されているときに着信があると駆動されるが、バイブレータ１０６の動作時に携帯端末１００に発生する振動量が振動量検出部１０８によって検出され、その検出振動量に応じてバイブレータ１０６の振動量が振動量調整部１０９によって調整できるようになっている。
【００１９】
次に、図２を参照して本発明の実施の形態１に係る携帯端末におけるバイブレータの振動量制御動作について説明する。なお、図２は、バイブレータの振動量制御動作を説明するフロー図である。
【００２０】
図２において、着信通知が発生すると（ステップＳＴ２００）、バイブレータ１０６が動作中か否かが判定される（ステップＳＴ２０１）。着信通知方法としてバイブレータ１０６による振動が選択されていない場合は、バイブレータ１０６は動作しないので（ステップＳＴ２０１：Ｎｏ）、本処理は終了する（ステップＳＴ２０２）。また、携行者がオフフックするとバイブレータ１０６は動作を停止するので（ステップＳＴ２０１：Ｎｏ）、本処理は終了する（ステップＳＴ２０２）。
【００２１】
さて、バイブレータが動作中の場合は（ステップＳＴ２０１：Ｙｅｓ）、バイブレータ１０６の振動により生じる携帯端末１００の振動量が検出される（ステップＳＴ２０３）。そして、検出された振動量が予め設定されている下限振動量よりも小さいか否かが判定される（ステップＳＴ２０４）。
【００２２】
検出された振動量が下限振動量よりも小さい場合は（ステップＳＴ２０４：Ｙｅｓ）、バイブレータ振動量を大きくし（ステップＳＴ２０５）、ステップＳＴ２０１に戻る。検出された振動量が下限振動量よりも小さくなる場合としては、例えば、携帯端末１００が柔らかい物の上に置かれている場合等を挙げることができる。このような場合には、バイブレータ１０６による振動が吸収されてしまい、携行者は携帯端末１００の振動に気付かない場合がある。
【００２３】
一方、検出された振動量が下限振動量よりも小さくない場合は（ステップＳＴ２０４：Ｎｏ）、検出された振動量が予め設定されている上限振動量よりも大きいか否かが判定される（ステップＳＴ２０６）。そして、検出された振動量が上限振動量よりも大きい場合は（ステップＳＴ２０６：Ｙｅｓ）、バイブレータ振動量を小さくし（ステップＳＴ２０７）、ステップＳＴ２０１に戻る。
【００２４】
検出された振動量が上限振動量よりも大きくなる場合としては、例えば、携帯端末１００が机の上に置いてあるなど硬いものに接している場合等を挙げることができる。このような場合には、バイブレータ１０６による振動によって携帯端末１００がバウンドしてしまうなどして騒音を発生し、周囲に迷惑を与える。
【００２５】
また、検出された振動量が下限振動量よりも大きい場合で（ステップＳＴ２０４：Ｎｏ）、かつ上限振動量よりも小さいと判定された場合には（ステップＳＴ２０６：Ｎｏ）、携帯端末１００に発生している振動量が下限と上限の振動量に収まっていて適切であると判断し、何も行わずステップＳＴ２０１に戻り、以上の手順を繰り返す。
【００２６】
なお、下限振動量及び上限振動量は、予め携行者が設定するようにしてもよく、また適切な値を携帯端末１００に登録しておくようにしてもよい。
【００２７】
このように、本実施の形態１によれば、バイブレータ振動量を携帯端末１００がどのような場所に置かれているかに応じて適応的に適切な振動量に制御することができるので、携行者に適切な振動量でもって着信を通知することができる。
【００２８】
（実施の形態２）
図３は、本発明の実施の形態２に係るバイブレータ振動制御装置を装備した携帯端末の構成を示すブロック図である。なお、図３では、図１に示した構成と同一ないしは同等である構成要素には、同一の符号が付されている。ここでは、この実施の形態２に関わる部分を中心に説明する。
【００２９】
図３に示す携帯端末３００では、図１に示した構成において、選択回路１０７に代えて選択回路３０１が設けられ、計測回路３０２が追加されている。
【００３０】
計測回路３０２は、振動量調整部１０９がバイブレータ振動量の調整を開始してからの経過時間の計測を開始し、振動量が適切な量へと至らない間、時間計測を続け、その計測した経過時間が所定時間を超えたとき、時間超過した旨を選択回路３０１に通知する。
【００３１】
選択回路３０１は、図１に示した選択回路１０７と同様に設定に従いバイブレータ１０６による着信通知を選択しているが、この実施の形態２では、復調部１０３から着信通知が入力した後、計測回路３０２から時間超過の通知があるまでは、継続してそのバイブレータ１０６による着信通知を選択し、計測回路３０２から時間超過の通知があると、リンガ１０５による着信通知に切り替えるようになっている。
【００３２】
次に、図４を参照して本発明の実施の形態２に係る携帯端末におけるバイブレータの振動量制御動作について説明する。なお、図４は、バイブレータの振動量制御動作を説明するフロー図である。図４では、図２に示した手順と同一となる手順には、同一の符号が付されている。
【００３３】
図４において、検出した振動量が下限よりも大きく（ステップＳＴ２０４：Ｎｏ）、かつ上限以下であれば（ステップＳＴ２０６：Ｎｏ）、振動量が適切であるとして、計測をリセットし（ステップＳＴ４００）、ステップＳＴ２０１に戻り、バイブレータ１０６による着信通知を継続する。
【００３４】
また、検出した振動量が下限以下である（ステップＳＴ２０４：Ｙｅｓ）か、上限以上である（ステップＳＴ２０６：Ｙｅｓ）ため、バイブレータ振動量を大きくする処理（ステップＳＴ２０５）、もしくは小さくする処理（ステップＳＴ２０７）が実行されると、時間計測が開始される（ステップＳＴ４０１）。所定時間を経過するまで（ステップＳＴ４０２：Ｎｏ）、以上の手順が繰り返し行われる。
【００３５】
その過程で振動量が下限よりも大きくなり（ステップＳＴ２０４：Ｎｏ）、かつ上限以下になり（ステップＳＴ２０６：Ｎｏ）、振動量が適切な量に到達すると、計測をリセットし（ステップＳＴ４００）、ステップＳＴ２０１に戻り、バイブレータ１０６による着信通知を継続する。
【００３６】
一方、振動量が適切な量に到達する前に計測時間が所定時間を超過すると（ステップＳＴ４０２：Ｙｅｓ）、振動量調整に時間がかかっていると判断し、着信通知方法として音による方法を選択し（ステップＳＴ４０３）、本処理を終了する（ステップＳＴ４０４）。
【００３７】
このように、実施の形態２によれば、単に一定の時間が経過したときに着信通知方法を音による方法に切り替えるのではなく、振動量の調整に時間がかかってしまう場合に切り替えるので、短い時間で携行者に着信を気付かせることができる。
【００３８】
なお、以上の説明では、着信通知方法としてバイブレータによる方法から音による方法に切り替えるとしたが、バイブレータはそのまま動作させて、加えて音も発する、もしくはバイブレータの振動を弱くして音を発するとしてもよい。さらに、着信通知方法として音以外の方法に切り替える等してもよい。
【００３９】
（実施の形態３）
図５は、本発明の実施の形態３に係るバイブレータ振動制御装置を装備した携帯端末の構成を示すブロック図である。なお、図５では、図１に示した構成と同一ないしは同等である構成要素には、同一の符号が付されている。ここでは、この実施の形態３に関わる部分を中心に説明する。
【００４０】
図５に示す携帯端末５００では、図１に示した構成において、選択回路１０７に代えて選択回路５０１が設けられ、計測回路５０２が追加されている。
【００４１】
計測回路５０２は、振動量調整部１０９がバイブレータ振動量の調整を開始した後、バイブレータ振動量の調整ができる限界の振動量に達した時点からの経過時間を計測し、その計測した経過時間が所定時間を超えたとき、時間超過した旨を選択回路５０１に通知する。
【００４２】
選択回路５０１は、図１に示した選択回路１０７と同様に設定に従いバイブレータ１０６による着信通知を選択しているが、この実施の形態３では、復調部１０３から着信通知が入力した後、計測回路５０２から時間超過の通知があるまでは、継続してそのバイブレータ１０６による着信通知を選択し、計測回路５０２から時間超過の通知があると、リンガ１０５による着信通知に切り替えるようになっている。
【００４３】
次に、図６を参照して本発明の実施の形態３に係る携帯端末におけるバイブレータの振動量制御動作について説明する。なお、図６は、バイブレータの振動量制御動作を説明するフロー図である。図６では、図２に示した手順と同一となる手順には、同一の符号が付されている。
【００４４】
図６において、検出した振動量が下限よりも大きく（ステップＳＴ２０４：Ｎｏ）、かつ上限以下であれば（ステップＳＴ２０６：Ｎｏ）、振動量が適切であるとして、計測をリセットし（ステップＳＴ６００）、ステップＳＴ２０１に戻り、バイブレータ１０６による着信通知を継続する。
【００４５】
また、検出した振動量が下限以下である（ステップＳＴ２０４：Ｙｅｓ）か、上限以上である（ステップＳＴ２０６：Ｙｅｓ）ため、バイブレータ振動量を大きくする処理（ステップＳＴ２０５）、もしくは小さくする処理（ステップＳＴ２０７）が実行されると、バイブレータ振動量が調整できる限界に到達したか否かが判定される（ステップＳＴ６０１）。そして、バイブレータ振動量が調整できる限界に到達していない場合は（ステップＳＴ６０１：Ｎｏ）、さらに調整が可能であるとして、計測をリセットし（ステップＳＴ６００）、ステップＳＴ２０１に戻り、バイブレータ１０６による着信通知を継続する。
【００４６】
一方、バイブレータ振動量が調整できる限界に到達すると（ステップＳＴ６０１：Ｙｅｓ）、時間計測が開始される（ステップＳＴ６０２）。所定時間を経過するまで（ステップＳＴ６０３：Ｎｏ）、バイブレータ振動量を大きくする処理（ステップＳＴ２０５）、もしくは小さくする処理（ステップＳＴ２０７）が繰り返し行われる。
【００４７】
その過程で振動量が下限よりも大きくなり（ステップＳＴ２０４：Ｎｏ）、かつ上限以下になり（ステップＳＴ２０６：Ｎｏ）、振動量が適切な量に到達すると、計測をリセットし（ステップＳＴ６００）、ステップＳＴ２０１に戻り、バイブレータ１０６による着信通知を継続する。また、バイブレータ振動量が調整できる限界ではないと判断されると（ステップＳＴ６０１：Ｎｏ）、同様に計測をリセットし（ステップＳＴ６００）、ステップＳＴ２０１に戻り、バイブレータ１０６による着信通知を継続する。
【００４８】
一方、バイブレータ振動量が調整できる限界に達した状態である時間が所定時間を経過すると（ステップＳＴ６０３：Ｙｅｓ）、振動量の調整は無理と判断し、着信通知方法として音による方法を選択し（ステップＳＴ６０４）、本処理を終了する（ステップＳＴ６０５）。
【００４９】
このように、実施の形態３によれば、どんなにバイブレータ振動量を大きくしても、もしくはどんなに小さくしても適切な振動量に至らない場合には、音による方法を選択するので、より確実に着信を通知することができる。
【００５０】
なお、以上の説明では、着信通知方法としてバイブレータによる方法から音による方法に切り替えるとしたが、バイブレータはそのまま動作させて、加えて音も発する、もしくはバイブレータの振動を弱くして音を発するとしてもよい。さらに、着信通知方法として音以外の方法に切り替える等してもよい。
【００５１】
また、以上の説明では着信の発生を携行者に通知する場合を示したが、例えばアラーム等の着信以外の通知を行う場合についても同様に実施可能である。さらに、通知目的以外の場合、例えば定期的にバイブレータを動作させて端末本体の置かれている状況をあらかじめ把握しておくような場合についても同様に実施可能である。このようにすれば着信通知をする最初から適切な振動量でバイブレータを動作させる、もしくは音を発することができる。
【００５２】
【発明の効果】
以上説明したように、本発明によれば、対象物に発生した振動量に応じてバイブレータの振動量を自動的に適切な量に調整することができ、特に携帯端末において適切な着信通知制御用として用いることのできるバイブレータ振動制御装置を提供することができる。
【図面の簡単な説明】
【図１】本発明の実施形態１に係るバイブレータ振動制御装置を装備した携帯端末の構成を示すブロック図
【図２】図１に示す携帯端末が行うバイブレータの振動量制御動作を説明するフロー図
【図３】本発明の実施形態２に係るバイブレータ振動制御装置を装備した携帯端末の構成を示すブロック図
【図４】図３に示す携帯端末が行うバイブレータの振動量制御動作を説明するフロー図
【図５】本発明の実施形態３に係るバイブレータ振動制御装置を装備した携帯端末の構成を示すブロック図
【図６】図５に示す携帯端末が行うバイブレータの振動量制御動作を説明するフロー図
【図７】従来の着信制御方法を説明するフロー図
【符号の説明】
１００，３００，５００  携帯端末
１０１  アンテナ
１０２  無線部
１０３  復調部
１０４  変調部
１０５  リンガ
１０６  バイブレータ
１０７，３０１，５０１  選択回路
１０８  振動量検出部
１０９  振動量調整部
３０２，５０２  計測回路
【図１】
2005006206.tif 000003
【図２】
2005006206.tif 000004
【図３】
2005006206.tif 000005
【図４】
2005006206.tif 000006
【図５】
2005006206.tif 000007
【図６】
2005006206.tif 000008
【図７】
2005006206.tif 000009